(57)【要約】【課題】環境光の影響を除去してユーザの顔を撮影可能な美容機器を提供することを目的とする。【解決手段】撮影機能を有する美容機器１であって、本体部１０のフロント面に配置された表示手段１３と、フロント面の表示手段１３の配置位置より上側位置に配置された撮影手段１４と、フロント面の表示手段１３の両側位置に配置された照明手段１５と、フロント面の表示手段１３の配置位置より下側位置、又は、フロント面の表示手段１３の両側位置で照明手段１５の下側位置に配置されたストロボ手段１６と、本体部１０に内蔵され、表示手段１３，撮影手段１４，照明手段１５及びストロボ手段１６を制御する制御手段とを有することにより上記課題を解決する。【選択図】  図１
0003153960.tif 000002
【実用新案登録請求の範囲】
【請求項１】
撮影機能を有する美容機器であって、
本体部のフロント面に配置された表示手段と、
前記フロント面の前記表示手段の配置位置より上側位置に配置された撮影手段と、
前記フロント面の前記表示手段の両側位置に配置された照明手段と、
前記フロント面の前記表示手段の配置位置より下側位置、又は、前記フロント面の前記表示手段の両側位置で前記照明手段の下側位置に配置されたストロボ手段と、
前記本体部に内蔵され、前記表示手段，前記撮影手段，前記照明手段及び前記ストロボ手段を制御する制御手段と
を有する美容機器。
【請求項２】
前記撮影手段は、前記制御手段による制御により環境光の影響を除去できるシャッタ速度による撮影と、環境光の影響を受けるシャッタ速度による撮影とを行い、
前記ストロボ手段は、前記撮影手段のシャッタ動作に連動して発光する
ことを特徴とする請求項１記載の美容機器。
【請求項３】
前記照明手段は、冷陰極管又は発光ダイオードを含むことを特徴とする請求項１又は２記載の美容機器
【請求項４】
前記表示手段は、有機ＥＬ（organic electroluminescence）ディスプレイを含み、前記表示手段は前記有機ＥＬディスプレイの一部を前記照明手段の代わりに発光させる請求項１又は２記載の美容機器。
【考案の詳細な説明】
【技術分野】
【０００１】
本考案は、美容機器に係り、特にユーザの顔を撮影可能な美容機器に関する。
【背景技術】
【０００２】
化粧品販売店等の店頭では、撮影したユーザの顔の画像を利用して、肌のカウンセリングやメーキャップシミュレーション等が行われている。肌のカウンセリングでは、例えばユーザの顔の肌色に合わせたファンデーションの効果検証のため、撮影したユーザの顔の画像からユーザの顔の肌色の測定が行われる（例えば特許文献１参照）。
【特許文献１】特開２００５−３４３５５号公報
【考案の概要】
【考案が解決しようとする課題】
【０００３】
しかしながら、撮影したユーザの顔の画像からユーザの顔の肌色を測定する方法は店頭における蛍光灯等の光源（環境光）の影響を避けられず、ユーザの顔の肌色を正確に測定できなかった。すなわち、店頭で撮影したユーザの顔の画像は環境光の影響を避けることができないという問題があった。なお、特許文献１に記載されている技術は偏光板を透過することにより偏光面が整えられた光源の光を利用するものであって、環境光の影響を解消するものではない。
【０００４】
本考案は、上記の点に鑑みなされたもので、環境光の影響を減少又は除去してユーザの顔を撮影可能な美容機器を提供することを目的とする。
【課題を解決するための手段】
【０００５】
上記課題を解決する為、本考案は、撮影機能を有する美容機器であって、本体部のフロント面に配置された表示手段と、前記フロント面の前記表示手段の配置位置より上側位置に配置された撮影手段と、前記フロント面の前記表示手段の両側位置に配置された照明手段と、前記フロント面の前記表示手段の配置位置より下側位置、又は、前記フロント面の前記表示手段の両側位置で前記照明手段の下側位置に配置されたストロボ手段と、前記本体部に内蔵され、前記表示手段，前記撮影手段，前記照明手段及び前記ストロボ手段を制御する制御手段とを有することを特徴とする。
【０００６】
なお、本考案の構成要素、表現または構成要素の任意の組合せも本考案の態様として有効である。
【考案の効果】
【０００７】
本考案によれば、環境光の影響を除去してユーザの顔を撮影可能な美容機器を提供可能である。
【図面の簡単な説明】
【０００８】
【図１】本考案による肌色測定装置の第１実施例の外観図である。
【図２】本考案による肌色測定装置の第２実施例の外観図である。
【図３】本考案による肌色測定装置の第３実施例の外観図である。
【図４】本考案による肌色測定装置の一実施例のハードウェア構成図である。
【図５】本考案による肌色測定装置の他の実施例のハードウェア構成図である。
【図６】肌色測定装置の処理手順を表した一例の処理ブロック図である。
【図７】肌色測定装置の処理手順を表した一例のフローチャートである。
【図８】ストロボ光のみに影響を受けた一例の肌色測定用画像である。
【図９】環境光及びストロボ光に影響を受けた一例の表示用画像である。
【図１０】肌色計測エリアを表す一例の表示用画像である。
【図１１】肌色分類マップの一例のイメージ図である。
【図１２】メーキャップシミュレーション装置が行う処理の概略を表した一実施例のフローチャートである。
【図１３】モニタに表示される画面の一例の遷移図である。
【図１４】メーキャップシミュレーション装置の処理手順を表した一例の処理ブロック図である。
【図１５】シミュレータメインアプリが行なう処理を表す画面イメージ図である。
【考案を実施するための形態】
【０００９】
次に、本考案を実施するための形態を、以下の実施例に基づき図面を参照しつつ説明していく。なお、本実施例の肌色測定装置及びメーキャップシミュレーション装置は美容機器の一例である。美容機器とは美容に利用する機器全般を含む。また、本実施例の肌色測定装置及びメーキャップシミュレーション装置は、外観及びユーザの顔の肌色を測定する処理について同様である。ここでは、肌色測定装置を中心に説明するが、メーキャップシミュレーション装置も同様である。
【００１０】
図１は本考案による肌色測定装置の第１実施例の外観図である。図１（Ａ）は肌色測定装置１の正面図である。図１（Ｂ）は肌色測定装置１の平面図である。図１（Ｃ）は肌色測定装置１の側面図である。
【００１１】
肌色測定装置１は、本体部１０，アーム部１１，土台部１２を有する。肌色測定装置１は本体部１０がアーム部１１によって可動可能に土台部１２へ取り付けられている。本体部１０は、表示手段としてのモニタ１３，撮影手段としてのカメラ１４，照明手段としての照明１５，ストロボ手段としてのストロボ１６を有する。なお、肌色測定装置１は内蔵されたコンピュータ（図示せず）を有している。
【００１２】
本体部１０は表面（フロント面）にモニタ１３，カメラ１４，照明１５及びストロボ１６が設置されると共に、裏面（バック面）にアーム部１１が取り付けられている。本体部１０の表面には中央にモニタ１３，上側にカメラ１４，モニタ１３の両横（両側）に照明１５，照明１５の下側にストロボ１６が設置されている。言い換えればストロボ１６は本体部１０の表面の下側に設置されている。
【００１３】
モニタ１３は液晶ディスプレイや有機ＥＬ（organic electroluminescence）ディスプレイ等である。カメラ１４はＣＭＯＳ（Complementary Metal-Oxide Semiconductor）カメラやＣＣＤ（Charge Coupled Device）カメラ等である。なお、カメラ１４は偏光フィルタ（図示せず）を介して撮影が可能な仕組みを有している。照明１５は冷陰極管や発光ダイオード（ＬＥＤ）等である。
【００１４】
モニタ１３，カメラ１４，照明１５，ストロボ１６は後述のようにコンピュータにより制御される。なお、ストロボ１６は、ユーザの顔の肌色を測定する主な測定部位である頬の部分へ効果的にストロボ光を当てる位置の一例として、本体部１０の表面の下側に設置されている。
【００１５】
また、ユーザや化粧品販売員等の操作を受け付ける為、モニタ１３はタッチパネルモニタとなっている。タッチパネルモニタはユーザによる操作を受け付けて、操作情報をコンピュータへ出力する。ユーザや化粧品販売員等の操作を受け付ける仕組みはタッチパネルモニタに限らず、操作部を別途設けてもよい。
【００１６】
図２は本考案による肌色測定装置の第２実施例の外観図である。なお、図２の外観図はストロボ１６の位置以外、図１の外観図と同一であるため、同一部分についての説明を省略する。図１の肌色測定装置１では縦向きのストロボ１６が照明１５と連結するように設置されている。一方、図２の肌色測定装置１では、横向きのストロボ１６が照明１５から若干離れた下側の位置に設置されている。言い換えればストロボ１６は本体部１０の表面の下側に設置されている。
【００１７】
図３は本考案による肌色測定装置の第３実施例の外観図である。なお、図３の外観図は平面図及び側面図が図２の外観図と同様であるため、平面図及び側面図の図示を省略している。図３は肌色測定装置１の正面図である。図３の肌色測定装置１は、照明１５を有していない点で図２の肌色測定装置１と異なっている。
【００１８】
図３の肌色測定装置１は、モニタ１３が自発光の可能な例えば有機ＥＬディスプレイである。図３の肌色測定装置１はモニタ１３の両端部分１３ａを発光させることで、両端部分１３ａが図２の照明１５の役割を果たす。図３の肌色測定装置１のその他の構成は図２の肌色測定装置１と同様であるため、説明を省略する。
【００１９】
図４は本考案による肌色測定装置の一実施例のハードウェア構成図である。図４に示すハードウェア構成図は図１及び図２の肌色測定装置１の例を表している。なお、図１及び図２と同一部分については同一符号を付している。
【００２０】
図４の肌色測定装置１は、それぞれバスＢ等で相互に接続されたモニタ１３，カメラ１４，照明１５，ストロボ１６，タッチパネル２１，メモリカードＩ／Ｆ２２，主記憶装置２４，演算処理装置２５を有する。なお、図４のメモリカードＩ／Ｆ２２，メモリカード２３，主記憶装置２４，演算処理装置２５は、前述のコンピュータである。メモリカード２３はメモリカードＩ／Ｆ２２を介してバスＢに接続される。
【００２１】
メモリカード２３は、通電しなくても記憶が消えないフラッシュメモリと、外部との入出力を受け持つコントローラ回路とを有する。また、メモリカード２３は例えばＡＴＡ規格に準拠しており、演算処理装置２５からハードディスク等の補助記憶装置と同じように見えるものとする。メモリカード２３は例えばメモリカードの規格の一つであるコンパクトフラッシュ（Compact Flash）（登録商標）を利用できる。
【００２２】
肌色測定装置１を制御する肌色測定プログラムは肌色測定装置１を制御する各種プログラムの少なくとも一部である。肌色測定プログラムは例えばメモリカード２３の配布などによって提供される。肌色測定装置１はメモリカード２３を脱着可能であるため、メモリカード２３を取り替えることでバージョンアップやシステム変更に対応できる。
【００２３】
肌色測定プログラムを記録したメモリカード２３がメモリカードＩ／Ｆに接続されたあとで電源が投入されると、肌色測定装置１はメモリカード２３から肌色測定プログラムを読み出して主記憶装置２４に格納する。そして、肌色測定装置１は主記憶装置２４に格納された肌色測定プログラムに従って、演算処理装置２５に後述のような各種処理を実現させている。モニタ１３，カメラ１４，照明１５，ストロボ１６，タッチパネル２１は後述のような演算処理装置２５による各種処理によって制御される。
【００２４】
図５は本考案による肌色測定装置の他の実施例のハードウェア構成図である。図５に示すハードウェア構成図は図３の肌色測定装置１の例を表している。なお、図３と同一部分については同一符号を付している。図５の肌色測定装置１は、照明１５を有していない点で図４の肌色測定装置１と異なる。図５の肌色測定装置１はモニタ１３の両端部分１３ａを発光させることで、両端部分が図２の照明１５の役割を果たす為である。図５の肌色測定装置１のその他の構成は図４の肌色測定装置１と同様であるため、説明を省略する。
【００２５】
（肌色測定装置）
次に、肌色測定装置１の処理手順について説明する。図６は、肌色測定装置の処理手順を表した一例の処理ブロック図である。図７は、肌色測定装置の処理手順を表した一例のフローチャートである。
【００２６】
図６に示した肌色測定装置１は、コンピュータ３０で肌色測定プログラムを実行することにより実現されている専用ＡＰＩ３１，縮小部３４，トリミング部３５，顔認識処理部３８，トラッキングポイントＤＢ３９，詳細部位抽出部４０，トリミング部４１，肌色分析部４３，肌色分類マップ４４，トラッキングポイントＤＢ４５及び表示制御部４６を有する。
【００２７】
例えばタッチパネルモニタからユーザの顔の肌色測定開始の操作を受け付けると、専用ＡＰＩ（application programming interface）３１はステップＳ１に進み、静止画撮影処理を行う。ステップＳ１の静止画撮影処理では、専用ＡＰＩ３１が、カメラ１４及びストロボ１６を制御し、肌色測定用画像３２と、表示用画像３３とを撮影する。
【００２８】
具体的に、専用ＡＰＩ３１はカメラ１４のシャッタを切るときにストロボ１６が発光するように制御する。また、専用ＡＰＩ３１は肌色測定用画像３２を撮影するとき、カメラ１４のシャッタ速度を、環境光の影響を除去できるシャッタ速度（例えば１０００分の１秒）とする。
【００２９】
カメラ１４のシャッタ速度が例えば１０００分の１秒など、十分に速い場合、撮影された肌色測定用画像３２は環境光の影響が除去され、ストロボ光のみに影響を受けたものとなる。図８はストロボ光のみに影響を受けた一例の肌色測定用画像である。
【００３０】
専用ＡＰＩ３１は表示用画像３３を撮影するとき、カメラ１４のシャッタ速度を、環境光の影響を受けるシャッタ速度（例えば３００分の１秒）とする。カメラ１４のシャッタ速度が例えば３００分の１秒など、遅い場合、撮影された表示用画像３３は環境光及びストロボ光に影響を受けたものとなる。図９は環境光及びストロボ光に影響を受けた一例の表示用画像である。
【００３１】
このように、ストロボ光の影響を受けた肌色測定用画像３２及び表示用画像３３は色味及び照度のばらつきが少ないというストロボ光のメリットを受けることができる。言い換えれば、ストロボ光の影響を受けた肌色測定用画像３２及び表示用画像３３は環境光の影響を減少又は除去できる。カメラ１４の設定は、ストロボ光の色味及び照度のばらつきが少ないため固定化できる。例えばカメラ１４の設定は、ストロボ撮影時にグレーカードにてホワイトバランスがとれた状態で固定化する。また、カメラ１４の設定における明るさは、アイリス，ゲイン値を肌色付近の画素が飽和しない程度で固定化する。
【００３２】
ステップＳ２に進み、縮小部３４は表示用画像３３に対して縮小処理を行い、縮小画像３６を得る。顔認識処理部３８は、縮小画像３６からユーザの顔を認識するための後述するようなトラッキングポイントをＦＦＴ（高速フーリエ変換）により得て、トラッキングポイントＤＢ３９に格納する。また、顔認識処理部３８は認識したユーザの顔のトラッキングポイントから図１０に示す肌色計測エリア５０を設定する。
【００３３】
図１０は肌色計測エリアを表す一例の表示用画像である。なお、肌色計測エリア５０は外部設定ファイルにより変更が可能とする。例えば肌色計測エリア５０は外部設定ファイルにより、トラブルあるいは影の部分を除く顔の肌色部分全体とすることもできる。特にほほの部分の肌色が安定しているため、図１０の肌色計測エリア５０は基準として使用することができる。顔認識処理部３８は、設定した肌色計測エリア５０の情報を、トラッキングポイントＤＢ３９に格納したトラッキングポイントに付加する。
【００３４】
トリミング部３５は表示用画像３３に対してトリミング処理を行い、表示用画像３７を得る。詳細部位抽出部４０はトラッキングポイントＤＢ３９に格納したトラッキングポイントに基づき、トリミングを行った表示用画像３７に含まれるユーザの顔の画像から詳細部位を抽出し、その詳細部位から顔立ち診断に用いるタイプ等の追加情報を得る。
【００３５】
詳細部位抽出部４０はトラッキングポイントＤＢ３９に格納したトラッキングポイントに追加情報を付加した新たなトラッキングポイントをトラッキングポイントＤＢ４５に格納する。
【００３６】
ステップＳ３に進み、トリミング部４１は肌色測定用画像３２に対してトリミング処理を行い、肌色測定用画像４２を得る。肌色分析部４３はトラッキングポイントＤＢ４５に格納されたトラッキングポイント及び肌色計測エリア５０を得る。
【００３７】
肌色分析部４３はトラッキングポイント及び肌色計測エリア５０に基づき、肌色測定用画像４２の肌色計測エリア（例えば、ほほの部分）５０の画像を使ってヒストグラムを作成する。また、肌色分析部４３は作成したヒストグラムに基づき、頻度の高い色から全体のｎ％分の画素の平均値を計算する。なお、肌色の分類にはＨＳＶ色空間（ＨＳＶ値）を利用する。
【００３８】
ステップＳ４に進み、肌色分析部４３は肌色分類マップＤＢ４４から図１１に示す肌色分類マップを得る。図１１は肌色分類マップの一例のイメージ図である。肌色分類マップは「標準」，「明るめ」，「暗め」，「黄み」，「赤み」の代表ＨＳＶ値をモニターテストにより作成したものである。
【００３９】
肌色分析部４３は肌色分類マップの代表ＨＳＶ値と、ステップＳ３の肌色計算処理により求めたＨＳＶ値の位置関係を求め、図１１の肌色分類マップにプロットすることで肌色を分類する。
【００４０】
ステップＳ５に進み、表示制御部４６は、表示用画像３７，肌色分析部４３による肌色分類結果の情報に基づき、肌色分析部４３による肌色分類結果の情報と、表示用画像３７とをモニタ１３に表示させる。
【００４１】
なお、表示制御部４６は、表示用画像３７，トラッキングポイントＤＢ４５に格納されているトラッキングポイントの追加情報，肌色分析部４３による肌色分類結果の情報に基づき、肌色分析部４３による肌色分類結果の情報と、顔立ち診断結果の情報と、表示用画像３７とをモニタ１３に表示させてもよい。
【００４２】
このように、肌色測定装置１は環境光の影響を除去してユーザの顔の画像を容易に撮影することができ、環境光の影響を除去して撮影したユーザの顔の画像から正確にユーザの顔の肌色を測定できる。
【００４３】
（メーキャップシミュレーション装置）
前述した肌色測定装置１の肌色測定機能は、後述のメーキャップシミュレーション装置に利用できる。そこで、以下では肌色測定装置１の肌色測定機能を利用するメーキャップシミュレーション装置について説明する。
【００４４】
本考案によるメーキャップシミュレーション装置は、鏡というメーキャップに必要不可欠なアイテムをコンセプトとした、ユーザとのインタラクティブな機能を持つ。また、本考案によるメーキャップシミュレーション装置は、ユーザがあたかも鏡を見ながら自然にメーキャップをしている気分にさせる特徴を持つ。
【００４５】
メーキャップシミュレーション装置は、撮影した動画像をコンピュータで画像処理することで、動画像に含まれるユーザの顔の画像にメイクアップを施して、デジタルの鏡であるモニタ１３に表示する。なお、メーキャップシミュレーション装置は、商品情報や美容情報もモニタ１３に表示できる。次に、メーキャップシミュレーション装置の処理手順について説明する。
【００４６】
図１２は、メーキャップシミュレーション装置が行う処理の概略を表した一実施例のフローチャートである。図１３は、モニタに表示される画面の一例の遷移図である。例えばタッチパネルモニタからユーザの顔の肌色測定開始の操作を受け付けると、メーキャップシミュレーション装置はステップＳ１１の顔画像取り込み処理を行う。ステップＳ１１の顔画像取り込み処理は図７のステップＳ１と同様である。顔画像取り込み処理により肌色測定用画像と、表示用画像とを撮影したあと、メーキャップシミュレーション装置はモニタ１３に例えば表示用画像を含む画面イメージ６１を表示する。
【００４７】
また、メーキャップシミュレーション装置はステップＳ１２に進み、図７のステップＳ２〜Ｓ５に相当する素肌色分析処理を行う。メーキャップシミュレーション装置は素肌色分析処理により、ユーザの顔の肌色を「標準」，「明るめ」，「暗め」，「黄み」，「赤み」に分類する。メーキャップシミュレーション装置は、肌色分類結果の情報と表示用画面とを含む画面イメージ６２をモニタ１３に表示する。
【００４８】
ステップＳ１３に進み、メーキャップシミュレーション装置はステップＳ１２の肌色分類結果の情報から、お勧めＦＤ（ファンデーション）を提案する為のお勧めＦＤ提案処理を行う。お勧めＦＤ提案処理は、ステップＳ１２の素肌色分析処理により分類するユーザの顔の色ごとに、ＦＤ商品情報を関連付けてデータベース（ＤＢ）化しておくことで実現することができる。即ち、メーキャップシミュレーション装置はステップＳ１２の肌色分類結果の情報に基づき、分類されたユーザの顔の色に関連付けられたＦＤ商品情報をＤＢから取得することで、お勧めＦＤ商品情報と表示用画面とを含む画面イメージ６３をモニタ１３に表示する。
【００４９】
ステップＳ１４に進み、メーキャップシミュレーション装置は肌色測定用画像を用いて立体感分析処理を行う。なお、立体感分析処理は公知の技術を利用できる。メーキャップシミュレーション装置は立体感分析結果と表示用画面とを含む画面イメージ６４をモニタ１３に表示する。
【００５０】
ステップＳ１５に進み、メーキャップシミュレーション装置はファンデーション，プレメーキャップ，フェースカラーの何れの商品効果シミュレーションを行わせるかを選択するための画面イメージ６４をモニタ１３に表示する。画面イメージ６５は、例えばユーザの顔の動画像と、ファンデーション，プレメーキャップ，フェースカラーの何れの商品効果シミュレーションを行わせるかを選択するボタン等の仕掛けとを含む。
【００５１】
例えばタッチパネルモニタからファンデーションの商品効果シミュレーションを選択するボタンが選択されると、ステップＳ１６に進み、メーキャップシミュレーション装置はファンデーションシミュレーション処理を行う。ファンデーションシミュレーション処理は動画像に含まれるユーザの顔にファンデーションのメイクアップを施して、モニタ１３に画面イメージ６６を表示するものである。なお、ファンデーションシミュレーション処理は公知の技術（例えば特開２００７−２１６０００号公報）を利用できる。
【００５２】
例えばタッチパネルモニタからプレメーキャップの商品効果シミュレーションを選択するボタンが選択されると、ステップＳ１７に進み、メーキャップシミュレーション装置はプレメーキャップシミュレーション処理を行う。プレメーキャップシミュレーション処理は動画像に含まれるユーザの顔にプレメーキャップを施して、モニタ１３に画面イメージ６７を表示するものである。なお、プレメーキャップシミュレーション処理は、公知の技術（例えば特開２００７−２１６０００号公報）を利用できる。
【００５３】
また、例えばタッチパネルモニタからフェースカラーの商品効果シミュレーションを選択するボタンが選択されると、ステップＳ１８に進み、メーキャップシミュレーション装置はフェースカラーシミュレーション処理を行う。フェースカラーシミュレーション処理は動画像に含まれるユーザの顔にフェースカラーのメイクアップを施して、モニタ１３に画面イメージ６８を表示するものである。なお、フェースカラーシミュレーション処理は公知の技術（例えば特開２００７−２１６０００号公報）を利用できる。
【００５４】
図１４は、メーキャップシミュレーション装置の処理手順を表した一例の処理ブロック図である。図１４のメーキャップシミュレーション装置１００は、図６に示した肌色測定装置１の構成を一部に有している。
【００５５】
図１５に示すメーキャップシミュレーション装置１００は、アナログカメラ１５１，ＵＳＢキャプチャデバイス１５２，動画ファイル１５３，メイクアップカメラ１５４，ストロボ１５５，静止画システム１５６，共有メモリ１５７，シミュレータメインアプリ１５８，インターフェースアプリ１５９及び動画ファイル１６０を有する。メイクアップカメラ１５４は、図６のカメラ１４に対応する。ストロボ１５５は、図６のストロボ１６に対応する。
【００５６】
アナログカメラ１５１は撮影した例えばＮＴＳＣ方式の動画像をＵＳＢキャプチャデバイス１５２経由で出力する。ＵＳＢキャプチャデバイス１５２から出力された動画像は例えばＡＰＩの一例としてのＤｉｒｅｃｔＸ１６１を利用してシミュレータメインアプリ１５８に入力される。動画ファイル１５３もＤｉｒｅｃｔＸ１６１を利用してシミュレータメインアプリ１５８に入力される。
【００５７】
メイクアップカメラ１５４は撮影した動画像をシリアルインターフェースの一例としてのＩＥＥＥ１３９４経由で出力する。メイクアップカメラ１５４から出力された動画像は専用ＡＰＩ３１を利用してシミュレータメインアプリ１５８に入力される。シミュレータメインアプリ１５８は専用ＡＰＩ３１を利用して入力された動画像から動画像用解像度の原画像を得ると共に、前述の肌色測定用画像３２と、表示用画像３３とを得る。
【００５８】
シミュレータメインアプリ１５８はＤｉｒｅｃｔＸ１６１を利用して入力された動画像及び動画ファイル１５３と、専用ＡＰＩ３１を利用して入力された動画像から得られた動画像用解像度の動画像とを原画像とし、トリミング及び縮小処理を行う。
【００５９】
シミュレータメインアプリ１５８は原画像に対してトリミングを行ってメイクアップ前画像を得る。また、シミュレータメインアプリ１５８は原画像に対して縮小処理を行って顔認識処理用画像を得る。顔認識処理部１６３は、顔認識処理用画像からユーザの顔を認識するための後述するようなトラッキングポイント１６４を、ＦＦＴにより得る。
【００６０】
メイクアップ処理部１６５は、トラッキングポイント１６４に基づき、メイクアップ前画像に含まれるユーザの顔の画像に、ファンデーション，眉，シャドウ，口紅，チークから成るメイクアップを施してメイクアップ後画像を得る。なお、メイクアップ処理部１６５は、ファンデーション処理部１６６，眉処理部１６７，シャドウ処理部１６８，口紅処理部１６９，チーク処理部１７０を有する。
【００６１】
メイクアップ処理部１６５は、メイクアップ後画像のようにメイクアップする為の商品情報１７１をメイクアップ後画像に含ませることができる。動画サーバ１７２は、メイクアップ前画像およびメイクアップ後画像を共有メモリ１５７に書き込む。動画サーバ１７２は、メイクアップ前画像およびメイクアップ後画像を動画ファイル１６０として出力することもできる。
【００６２】
インターフェースアプリ１５９は、ＡｃｔｉｖｅＸコントローラ１８０及びＡｃｔｉｖｅＸビュアー１８１を利用している、動画コントロールオブジェクト１８２，動画表示オブジェクト１８３及びその他のコントローラ１８４を有する。なお、インターフェースアプリ１５９とシミュレータメインアプリ１５８とはＡｃｔｉｖｅＸ＆Ｓｏｃｋｅｔによる連携を図っている。
【００６３】
インターフェースアプリ１５９はＡｃｔｉｖｅＸビュアー１８１を利用して、供給メモリ１５７に書き込まれているメイクアップ前画像およびメイクアップ後画像を前述したモニタ１３に表示することができる。
【００６４】
また、シミュレータメインアプリ１５８は、タッチパネルモニタからユーザの顔の肌色測定開始の操作を受け付けると、専用ＡＰＩ３１を利用して静止画撮影処理を行う。静止画撮影処理では、専用ＡＰＩ３１が、メイクアップカメラ１５４及びストロボ１５５を制御し、肌色測定用画像３２と、表示用画像３３とを撮影する。
【００６５】
なお、肌色測定用画像３２と、表示用画像３３とを撮影したあとのユーザの顔の肌色を測定する処理は図６と同様であるため、説明を省略する。なお、シミュレータメインアプリ１５８は、表示用画像３７，トラッキングポイントＤＢ４５に格納されているトラッキングポイントの追加情報，肌色分析部４３による肌色分類結果の情報を、静止画システム１５６に出力する。
【００６６】
静止画システム１５６は、表示用画像３７，トラッキングポイントＤＢ４５に格納されているトラッキングポイントの追加情報，肌色分析部４３による肌色分類結果の情報に基づき、肌色分析部４３による肌色分類結果の情報と、顔立ち診断結果の情報と、表示用画像３７とをモニタ１３に表示させる。
【００６７】
図１５は、シミュレータメインアプリが行なう処理を表す画面イメージ図である。画面イメージ４００はメイクアップ前画像を表示した例を表している。画面イメージ４０１は顔認識処理用画像から得たトラッキングポイント１６４をメイクアップ前画像に重ねて表示した例を表している。また、画面イメージ４０２はトラッキングポイント１６４に基づいてメイクアップ前画像に含まれるユーザの顔にメイクアップを施したメイクアップ後画像を表示した例を表している。シミュレータメインアプリ１５８が行なう顔認識処理，メイクアップ処理，ファンデーション処理，眉処理，シャドウ処理，口紅処理，チーク処理等のメイクアップ処理は周知の技術（例えば特開２００７−２１６０００号公報）を利用できる。
【００６８】
以上、本考案によれば、動画像に含まれるユーザの顔に、少ない処理負担で正確にメイクアップを施すことができる。このように、メーキャップシミュレーション装置１００は撮影した動画像に含まれるユーザの顔の画像にメイクアップを施して、デジタルの鏡であるモニタ１３に表示することができると共に、環境光の影響を除去してユーザの顔の画像を容易に撮影することができ、環境光の影響を減少又は除去して撮影したユーザの顔の画像から正確にユーザの顔の肌色を測定できる。
【００６９】
本考案は、具体的に開示された実施例に限定されるものではなく、実用新案請求の範囲から逸脱することなく、種々の変形や変更が可能である。
【符号の説明】
【００７０】
１    肌色測定装置
１０    本体部
１１    アーム部
１２    土台部
１３，１３Ａ，１３Ｂ    モニタ
１３ａ，１３ｂ    両端部分
１４    カメラ
１５    照明
１６    ストロボ
２１    タッチパネル
２２    メモリカードＩ／Ｆ
２３    メモリカード
２４    主記憶装置
２５    演算処理装置
３０    コンピュータ
３１    専用ＡＰＩ
３４    縮小部
３５，４１    トリミング部
３８    顔認識処理部
３９，４５    トラッキングポイントＤＢ
４０    詳細部位抽出部
４３    肌色分析部
４４    肌色分類マップ
４６    表示制御部
１００    メーキャップシミュレーション装置
【図１】
0003153960.tif 000003
【図２】
0003153960.tif 000004
【図３】
0003153960.tif 000005
【図４】
0003153960.tif 000006
【図５】
0003153960.tif 000007
【図６】
0003153960.tif 000008
【図７】
0003153960.tif 000009
【図８】
0003153960.tif 000010
【図９】
0003153960.tif 000011
【図１０】
0003153960.tif 000012
【図１１】
0003153960.tif 000013
【図１２】
0003153960.tif 000014
【図１３】
0003153960.tif 000015
【図１４】
0003153960.tif 000016
【図１５】
0003153960.tif 000017